(57)【要約】      （修正有）【課題】オーディオプレーヤー、携帯電話機、携帯パソコン等の複数種の携帯端末を立て掛けて支持することができる携帯端末用スタンドを提供する。【解決手段】携帯端末を一定の傾斜角θ1で支持する第１傾斜部４及びこれに対向する位置に設けられた第１把持部５と、該携帯端末を前記一定の傾斜角θ1とは異なる傾斜角θ2で支持する第２傾斜部７及びこれに対向する位置に設けられた第２把持部８とを形成して携帯端末用スタンドを構成する。【選択図】図３
0003153052.tif 000002
【実用新案登録請求の範囲】
【請求項１】
携帯端末を立て掛けて支持する携帯端末用スタンドであって、該携帯端末を一定の傾斜角θ1で支持する第１傾斜部及びこれに対向する位置に設けられた第１把持部と、該携帯端末を前記一定の傾斜角θ1とは異なる傾斜角θ2で支持する第２傾斜部及びこれに対向する位置に設けられた第２把持部とを有することを特徴とする携帯端末用スタンド。
【請求項２】
前記第１把持部及び第２把持部のそれぞれに携帯端末のコードを挟み込む切り込み部を有することを特徴とする請求項１に記載の携帯端末用スタンド。
【請求項３】
前記第１傾斜部及び第１把持部、第２傾斜部及び第２把持部の材質はシリコン樹脂であることを特徴とする請求項１または請求項２に記載の携帯端末用スタンド。
【考案の詳細な説明】
【技術分野】
【０００１】
本考案は、携帯端末を立て掛けて支持する携帯端末用スタンドに関する。
【背景技術】
【０００２】
携帯端末用スタンドに関しては従来から種々の提案がなされている。
【０００３】
例えば、登録実用新案公報第３１４１８９７号公報（下記特許文献１）には、自立型の本体に設けられ、携帯電話機の表示面を所定の角度に支持する支持部とを備え、支持部は、携帯電話機の表示面と相対向する背面を支持する背面支持部と、携帯電話機の側面を支持する側面支持部とを有し、背面支持部と側面支持部とが略直角となることにより、持ち運びが容易で、携帯性にすぐれ、安価な携帯電話機用の携帯スタンドが記載されている。
【０００４】
しかし、特許文献１の携帯スタンドは、携帯電話機の表示面の角度に合わせて設計されているため、オーディオプレーヤーや携帯パソコン等の携帯電話以外の携帯端末には適用できないという問題点があった。
【先行技術文献】
【特許文献】
【０００５】
【特許文献１】登録実用新案公報第３１４１８９７号公報
【考案の開示】
【考案が解決しようとする課題】
【０００６】
本考案は、前述のような従来技術の問題点を解決し、オーディオプレーヤー、携帯電話機、携帯パソコン等の複数種の携帯端末を立て掛けて支持することができる携帯端末用スタンドを提供することを課題とする。
【課題を解決するための手段】
【０００７】
本考案は、前述の課題を解決すべく、異なる傾斜角を有する２種類の支持部を有することにより、オーディオプレーヤー、携帯電話機、携帯パソコン等の複数種の携帯端末を立て掛けて支持することができる携帯端末用スタンドを提供するものであり、その要旨とするところは実用新案登録請求の範囲に記載した通りの下記内容である。
（１）携帯端末を立て掛けて支持する携帯端末用スタンドであって、該携帯端末を一定の傾斜角θ1で支持する第１傾斜部及びこれに対向する位置に設けられた第１把持部と、該携帯端末を前記一定の傾斜角θ1とは異なる傾斜角θ2で支持する第２傾斜部及びこれに対向する位置に設けられた第２把持部とを有することを特徴とする携帯端末用スタンド。
（２）前記第１把持部及び第２把持部のそれぞれに携帯端末のコードを挟み込む切り込み部を有することを特徴とする（１）に記載の携帯端末用スタンド。
（３）前記第１傾斜部及び第１把持部、第２傾斜部及び第２把持部の材質はシリコン樹脂であることを特徴とする（１）または（２）に記載の携帯端末用スタンド。
＜作用＞      
（１）の考案によれば、携帯端末を一定の傾斜角θ1で支持する第１傾斜部及びこれに対向する位置に設けられた第１把持部と、該携帯端末を前記一定の傾斜角θ1とは異なる傾斜角θ2で支持する第２傾斜部及びこれに対向する位置に設けられた第２把持部とを有することにより、オーディオプレーヤー、携帯電話機、携帯パソコン等の複数種の携帯端末を立て掛けて支持することができる携帯端末用スタンドを提供することできる。
（２）の考案によれば、第１把持部及び第２把持部のそれぞれに携帯端末のコードを挟み込む切り込み部を有することにより、携帯端端末のコードの長さを調節することができるうえ、携帯端末用スタンドを使用しないときにコードを収納することができる。
（３）の考案によれば、第１傾斜部及び第１把持部、第２傾斜部及び第２把持部の材質はシリコン樹脂であることにより、携帯端末の厚さに合わせて傾斜部と把持部との間隔を調整することができ、携帯端末がテーブルの上で滑りにくくすることができるうえ、携帯端末の傷を防止することができる。
【考案の効果】
【０００８】
本考案によれば、オーディオプレーヤー、携帯電話機、携帯パソコン等の携帯端末を立て掛けて支持することができる携帯端末用スタンドを提供することができ、携帯端端末のコードの長さを調節することができるうえ、使用しないときにコードを巻き取って収納することができ、携帯端末の厚さに合わせて傾斜部と把持部との間隔を調整することができ、携帯端末がテーブルの上で滑りにくくすることができるうえ、携帯端末の傷を防止することができるなど、産業上有用な著しい効果を奏する。
【図面の簡単な説明】
【０００９】
【図１】本考案の携帯端末用スタンドの使用状態を例示する図である。
【図２】本考案の携帯端末用スタンドの切り込み部の使用状態を例示する図である。
【図３】本考案の携帯端末用スタンドの構造を例示する斜視図である。
【図４】本考案の携帯端末用スタンドの使用状態を例示する図である。
【図５】本考案の携帯端末用スタンドの構造を例示する六面図である。
【考案を実施するための形態】
【００１０】
本考案を実施するための形態について図１〜図５を用いて詳細に説明する。
【００１１】
図１〜図５において、１は携帯端末、２はスタンド、３はコード、４は第１傾斜部、５は第１把持部、６は第１切込み部、７は第２傾斜部、８は第２把持部、９は第２切込み部、θ1、θ2は傾斜角を示し、同じ要素については同じ番号を付することにより重複した説明を省略する。
【００１２】
図１は、本考案の携帯端末用スタンドの使用状態を例示する図である。図１に示すように、携帯端末１をスタンド２に立て掛けて支持することにより、携帯端末１の表示面が所定の傾斜角を保持した状態で使用することができる。
【００１３】
本考案において、携帯端末とは、オーディオプレーヤー、携帯電話、携帯パソコン等、複数種の携帯端末をいう。
【００１４】
図２は、本考案の携帯端末用スタンドの切り込み部の使用状態を例示する図である。
【００１５】
本考案の携帯端末用スタンドの第１把持部６及び第２把持部８のそれぞれに設けられた切り込み部６，９に携帯端末のコード２を挟み込むことによりコード２を収納することができるうえ、携帯端末を使用に、コード２の長さを調整することができる。
【００１６】
図３は、本考案の携帯端末用スタンドの構造を例示する斜視図である。図３に示すように、本考案の携帯端末用スタンドは、携帯端末を立て掛けて支持する携帯端末用スタンドであって、該携帯端末を一定の傾斜角θ1で支持する第１傾斜部４及びこれに対向する位置に設けられた第１把持部５と、該携帯端末を前記一定の傾斜角θ1とは異なる傾斜角θ2で支持する第２傾斜部７及びこれに対向する位置に設けられた第２把持部８とを有することを特徴とする。
【００１７】
携帯端末を一定の傾斜角θ1で支持する第１傾斜部４及びこれに対向する位置に設けられた第１把持部５と、該携帯端末を前記一定の傾斜角θ1とは異なる傾斜角θ2で支持する第２傾斜部７及びこれに対向する位置に設けられた第２把持部８とを有することにより、オーディオプレーヤー、携帯電話機、携帯パソコン等の複数種の携帯端末を立て掛けて支持することができる携帯端末用スタンドを提供することできる。
【００１８】
図４は、本考案の携帯端末用スタンドの使用状態を例示する図であり、図４（a）は携帯端末１を傾斜角θ1で立て掛けた例を示し、図４（ｂ）は携帯端末１をθ1より大きい傾斜角θ2で立て掛けた例を示す。このように、２種類の異なる傾斜角θ1、θ2を有する２つの支持部を有し、この傾斜角θ1、θ2を使用する携帯端末の表示面の傾斜角に応じて設定することにより、オーディオプレーヤー、携帯電話機、携帯パソコン等の複数種の携帯端末を立て掛けて支持することができる。
【００１９】
図５は、本考案の携帯端末用スタンドの構造を例示する六面図であり、図５（a）は上面図、図５（ｂ）、（ｂ´）は正面図及び裏面図、図５（ｃ）は底面図、図５（ｄ）、（ｄ´）は側面図である。
【００２０】
本考案の携帯端末用スタンドの材質は問わず、可撓性を有するゴム製でもよいが、第１傾斜部及び第１把持部、第２傾斜部及び第２把持部の材質をシリコン樹脂であることにより、携帯端末の厚さに合わせて傾斜部と把持部との間隔を調整することができ、携帯端末がテーブルの上で滑りにくくすることができるうえ、携帯端末の傷を防止することができる。また、図５（ｂ）、（ｂ´）に示すように、幅方向の中央部の幅を狭くすることにより、コードを巻き付け易くすることができる。
【実施例】
【００２１】
図１〜図５に示す本考案の本考案の携帯端末用スタンドを、オーディオプレーヤーと携帯電話に適用したところ、それぞれの端末の表示面の傾斜角に応じて立て掛けて支持することができ、本考案の効果を確認することができた。
【符号の説明】
【００２２】
１  携帯端末
２  スタンド
３  コード
４  第１傾斜部
５  第１把持部
６  第１切込み部
７  第２傾斜部
８  第２把持部
９  第２切込み部
θ1、θ2  傾斜角
【図１】
0003153052.tif 000003
【図２】
0003153052.tif 000004
【図３】
0003153052.tif 000005
【図４】
0003153052.tif 000006
【図５】
0003153052.tif 000007